【手続補正書】
【提出日】平成29年8月30日(2017.8.30)
【手続補正１】
【補正対象書類名】特許請求の範囲
【補正対象項目名】全文
【補正方法】変更
【補正の内容】
【特許請求の範囲】
【請求項１】
クライアント機器からＣＰＵの種別とＣＰＵの使用率、及びメモリの容量とメモリの使用率を含む使用状況情報を収集する収集部と、
前記使用状況情報を格納する格納部と、
前記格納部に格納された前記使用状況情報を解析して、前記クライアント機器のＣＰＵの平均使用率、及びメモリの平均使用率を算出する解析部と、
算出された前記ＣＰＵの平均使用率と前記クライアント機器の推奨ＣＰＵ使用率とを比較して、前記ＣＰＵの平均使用率が適切であるか否かを判定する第１判定と、算出された前記メモリの平均使用率と前記クライアント機器の推奨メモリ使用率とを比較して、前記メモリの平均使用率が適切であるか否かを判定する第２判定と、を行う判定部と、
前記第１判定で不適切と判定した場合、前記推奨ＣＰＵ使用率を達成するために必要なＣＰＵ性能値を超える性能を有するＣＰＵの種別を推薦構成として決定する第１決定と、前記第２判定で不適切と判定した場合、前記推奨メモリ使用率を達成するために必要なメモリ容量を推薦構成として決定する第２決定と、を行う決定部と、
前記第１決定と前記第２決定の両方又は一方で決定した前記推奨構成を管理者端末又は前記クライアント機器に送信する提示処理部と、
を具備する電子機器。
【請求項２】
前記クライアント機器の前記推奨ＣＰＵ使用率、及び前記推奨メモリ使用率を含む推奨情報が前記格納部に予め格納される請求項１記載の電子機器。
【請求項３】
前記クライアント機器は、ネットワーク上に接続される管理対象の複数のクライアント機器であって、
前記格納部は、前記複数のクライアント機器を識別する識別ＩＤを付与して各クライアント機器に係わる前記使用状況情報を格納する
請求項１記載の電子機器。
【請求項４】
前記収集部は、前記クライアント機器からディスクの容量とディスクの空き容量を収集し、
前記格納部は、収集した前記ディスクの容量と前記ディスクの空き容量を含む前記使用状況情報を格納し、
前記判定部は、前記ディスクの空き容量と前記クライアント機器の前記推奨ディスク空き容量とを比較して、前記ディスクの空き容量が適切であるか否かを判定する第３判定を行い、
前記決定部は、前記第３判定で不適切と判定した場合、前記推奨ディスク空き容量を達成するために必要がディスク容量を推薦構成として決定する第３決定を行い、
前記提示処理部は、前記第３決定で決定した前記推奨構成を管理者端末又は前記クライアント機器に送信する
請求項１記載の電子機器。
【請求項５】
前記クライアント機器は、ネットワーク上に接続される管理対象の複数のクライアント機器であって、
前記格納部は、前記複数のクライアント機器を識別する識別ＩＤを付与して、各クライアント機器に係わる収集した前記ディスクの容量と前記ディスクの空き容量を格納する請求項４記載の電子機器。
【請求項６】
前記クライアント機器の前記推奨ディスク空き容量を含む推奨情報が前記格納部に予め格納され、
前記推奨ディスクの空き容量は、オペレーティングシステム毎に設定されている請求項４記載の電子機器。
【請求項７】
前記収集部は、前記管理者端末によって設定される収集期間に応じて前記クライアント機器から前記使用状況情報を収集する請求項１記載の電子機器。
【請求項８】
前記管理者端末からの設定操作に応じて、前記推奨ＣＰＵ使用率及び前記推奨メモリ使用率の設定値を設定する設定部を更に具備する請求項１記載の電子機器。
【請求項９】
前記提示処理部は、前記第１、第２決定で決定した前記推奨構成と共に、前記使用状況情報に含まれる前記ＣＰＵの種別、及び前記メモリ容量を併せて前記管理者端末又は前記クライアント機器に送信する請求項１記載の電子機器。
【請求項１０】
電子機器によって実行される方法であって、
クライアント機器からＣＰＵの種別とＣＰＵの使用率、及びメモリの容量とメモリの使用率を含む使用状況情報を収集することと、
格納部に前記使用状況情報を格納することと、
前記格納部に格納された前記使用状況情報を解析して、前記クライアント機器のＣＰＵの平均使用率、及びメモリの平均使用率を算出することと、
算出された前記ＣＰＵの平均使用率と前記クライアント機器の推奨ＣＰＵ使用率とを比較して、前記ＣＰＵの平均使用率が適切であるか否かを判定する第１判定と、算出された前記メモリの平均使用率と前記クライアント機器の推奨メモリ使用率とを比較して、前記メモリの平均使用率が適切であるか否かを安定する第２判定と、を行うことと、
前記第１判定で不適切と判定した場合、前記推奨ＣＰＵ使用率を達成するために必要なＣＰＵ性能値を超える性能を有するＣＰＵの種別を推薦構成として決定する第１決定と、前記第２判定で不適切と判定した場合、前記推奨メモリ使用率を達成するために必要なメモリ容量を推薦構成として決定する第２決定と、を行うことと、
前記第１決定と前記第２決定の両方又は一方で決定した前記推奨構成を管理者端末又は前記クライアント機器に送信することと、
を具備する方法。
【請求項１１】
前記クライアント機器からディスクの容量とディスクの空き容量を収集することと、
収集した前記ディスクの容量と前記ディスクの空き容量を含む前記使用状況情報を格納部に格納することと、
前記ディスクの空き容量と前記クライアント機器の推奨ディスク空き容量とを比較して、前記ディスクの空き容量が適切であるか否かを判定する第３判定を行うことと、
前記第３判定で不適切と判定した場合、前記推奨ディスク空き容量を達成するために必要なディスク容量を推薦構成として決定する第３決定を行うことと、
前記第３決定で決定した前記推奨構成を管理者端末又は前記クライアント機器に送信することと
を更に具備する請求項１０記載の方法。
【請求項１２】
電子機器のコンピュータによって実行されるプログラムであって、
前記コンピュータに、
クライアント機器からＣＰＵの種別とＣＰＵの使用率、及びメモリの容量とメモリの使用率を含む使用状況情報を収集することと、
格納部に前記使用状況情報を格納することと、
前記格納部に格納された前記使用状況情報を解析して、前記クライアント機器のＣＰＵの平均使用率、及びメモリの平均使用率を算出することと、
算出された前記ＣＰＵの平均使用率と前記クライアント機器の推奨ＣＰＵ使用率とを比較して、前記ＣＰＵの平均使用率が適切であるか否かを判定する第１判定と、算出された前記メモリの平均使用率と前記クライアント機器の推奨メモリ使用率とを比較して、前記メモリの平均使用率が適切であるか否かを判定する第２判定と、を行うことと、
前記第１判定で不適切と判定した場合、前記推奨ＣＰＵ使用率を達成するために必要なＣＰＵ性能値を超える性能を有するＣＰＵの種別を推薦構成として決定する第１決定と、前記第２判定で不適切と判定した場合、前記推奨メモリ使用率を達成するために必要なメモリ容量を推薦構成として決定する第２決定と、を行うことと、
前記第１決定と前記第２決定の両方又は一方で決定した前記推奨構成を管理者端末又は前記クライアント機器に送信することと、
を実行させるためのプログラム。
【請求項１３】
前記コンピュータに、
前記クライアント機器からディスクの容量とディスクの空き容量を収集することと、
収集した前記ディスクの容量と前記ディスクの空き容量を含む前記使用状況情報を格納部に格納することと、
前記ディスクの空き容量と前記クライアント機器の推奨ディスク空き容量とを比較して、前記ディスクの空き容量が適切であるか否かを判定する第３判定を行うことと、
前記第３判定で不適切と判定した場合、前記推奨ディスク空き容量を達成するために必要なディスク容量を推薦構成として決定する第３決定を行うことと、
前記第３決定で決定した前記推奨構成を管理者端末又は前記クライアント機器に送信することと、
を更に実行させるための請求項１２記載のプログラム。
【請求項１４】
前記コンピュータに、
前記管理者端末によって設定される収集期間に応じて前記クライアント機器から前記使用状況情報を収集することと、
前記管理者端末からの設定操作に応じて、前記推奨ＣＰＵ使用率及び前記推奨メモリ使用率の設定値を設定することと、
を更に実行させるための請求項１２記載のプログラム。
【手続補正２】
【補正対象書類名】明細書
【補正対象項目名】００１１
【補正方法】変更
【補正の内容】
【００１１】
実施形態に係る電子機器は、収集部と、格納部と、解析部と、判定部と、決定部と、提示処理部と、を具備する。前記収集部は、クライアント機器からＣＰＵの種別とＣＰＵの使用率、及びメモリの容量とメモリの使用率を含む使用状況情報を収集する。前記格納部は、前記使用状況情報を格納する。前記解析部は、前記格納部に格納された前記使用状況情報を解析して、前記クライアント機器のＣＰＵの平均使用率、及びメモリの平均使用率を算出する。前記判定部は、算出された前記ＣＰＵの平均使用率と前記クライアント機器の推奨ＣＰＵ使用率とを比較して、前記ＣＰＵの平均使用率が適切であるか否かを判定する第１判定と、算出された前記メモリの平均使用率と前記クライアント機器の推奨メモリ使用率とを比較して、前記メモリの平均使用率が適切であるか否かを判定する第２判定と、を行う。前記決定部は、前記第１判定で不適切と判定した場合、前記推奨ＣＰＵ使用率を達成するために必要なＣＰＵ性能値を超える性能を有するＣＰＵの種別を推薦構成として決定する第１決定と、前記第２判定で不適切と判定した場合、前記推奨メモリ使用率を達成するために必要なメモリ容量を推薦構成として決定する第２決定と、を行う。前記提示処理部は、前記第１決定と前記第２決定の両方又は一方で決定した前記推奨構成を管理者端末又は前記クライアント機器に送信する。